(57)【要約】【課題】ケーブルの固定に際して、他の取付け部材を必要とせず、容易にかつ確実にケーブルを固定することが可能なケーブル固定構造を提供する。【解決手段】光ケーブル３００の固定を目的としており、第１挟持部材１０１と、この第１挟持部材１００に所定の間隔を隔てて配置される第２挟持部材１０２とを備える。第１挟持部材１０１と第２挟持部材１０２とは、光ケーブル３００が延びる方向に対して交差する方向に沿って、この光ケーブル３００の挿入が可能な挿入口１０４を形成するように、連結部材１０３により連結されている。第１挟持部材１０１および第２挟持部材１０２の相互に対向する面には、それぞれ第１挟持面および第２挟持面が形成されている。【選択図】        図１
2004289060.tif 000002
【特許請求の範囲】
【請求項１】
ケーブルを本体部に固定するため、本体部に設けられるケーブル固定構造であって、
ケーブルを一方側から挟み込む第１挟持面と、
前記第１挟持面に対して所定の距離を隔てて対向配置され、前記第１挟持面とともに前記ケーブルを挟み込む第２挟持面と
を備え、
前記第１挟持面および前記第２挟持面には、前記ケーブルが延びる方向に沿った断面形状において、前記ケーブルが延びる一方向への移動を阻止するため、前記ケーブルが一方向側へ移動したときに前記ケーブルの表面に食い込む楔面が設けられていることを特徴とする、ケーブル固定構造。
【請求項２】
前記楔面は、
前記ケーブルに当接する先端領域と、
前記先端領域から見て、前記一方向側に向かうにしたがってその幅が徐々に大きくなる胴部領域と、
を有する、請求項１に記載のケーブル固定構造。
【請求項３】
前記第１挟持面が設けられる第１挟持部材と、
前記第２挟持面が設けられる第２挟持部材と、
前記ケーブルが延びる方向に対して交差する方向に沿って、前記ケーブルを挿入可能な挿入口を形成するように、前記第１挟持部材と前記第２挟持部材とを所定の間隔を隔てて連結する連結部材と、
有する、請求項１または２に記載のケーブル固定構造。
【発明の詳細な説明】
【０００１】
【発明の属する技術分野】
この発明は、ケーブル固定構造に関し、より特定的には、簡易かつ確実にケーブルを固定することが可能なケーブル固定構造に関する。
【０００２】
【従来の技術】
従来、通信機器、電気機器等から引き出されるケーブル等においては、ケーブルに引張り力が加わった場合でも、ケーブルの通信機器、電気機器等からの離脱を防止するため、通信機器、電気機器等の本体にケーブルを固定しておく必要がある。その場合、ケーブルの余分な領域を利用して、ビス等を用いてケーブルを通信機器、電気機器等の本体に固定する方法や、光ケーブルなどは、ケーブル自体に損傷を与えることはできないため、ケーブルの外形形状に対応した専用の固定ブラケットを用いる固定方法が採用されている。
【０００３】
なお、以上本願に係る発明についての従来の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【０００４】
【発明が解決しようとする課題】
しかしながら、上記ケーブルの固定方法においては、いずれもケーブル以外に固定のための部材（ビス、ブラケット等）が必要となるため、ケーブルの固定作業性が悪い問題がある。
【０００５】
したがって、この発明は上記課題を解決するためになされたものであり、ケーブルの固定に際して、他の取付け部材を必要とせず、容易にかつ確実にケーブルを固定することが可能なケーブル固定構造を提供することを目的とする。
【０００６】
【課題を解決するための手段】
上記目的を達成するため、この発明に基づいたケーブル固定構造においては、ケーブルを本体部に固定するため、本体部に設けられるケーブル固定構造であって、ケーブルを一方側から挟み込む第１挟持面と、上記第１挟持面に対して所定の距離を隔てて対向配置され、上記第１挟持面とともに上記ケーブルを挟み込む第２挟持面とを備えている。さらに、上記第１挟持面および上記第２挟持面には、上記ケーブルが延びる方向に沿った断面形状において、上記ケーブルが延びる一方向への移動を阻止するため、上記ケーブルが一方向側へ移動したときに上記ケーブルの表面に食い込む楔面が設けられていることを特徴とする。
【０００７】
この固定構造によれば、他の取付け部材を用いることなく、第１挟持面と第２挟持面との間にケーブルを挟み込むことのみで、ケーブルに一方向側への引張り力が生じた場合でも、ケーブルの表面に楔面が食い込み、ケーブルの一方向側への移動を阻止することが可能になる。
【０００８】
【発明の実施の形態】
以下、この発明に基づいた実施の形態におけるケーブル固定構造について、図を参照しながら説明する。
【０００９】
（ケーブル固定構造１００）
図１〜図３を参照して、本実施の形態におけるケーブル固定構造１００について説明する。なお、図１は、本実施の形態におけるケーブル固定構造１００の全体構造を示す斜視図であり、図２は、図１中ＩＩ−ＩＩ線矢視断面図であり、図３は、図１中ＩＩ−ＩＩ線矢視断面に対応した楔面の機能を説明するための模式図である。
【００１０】
図１を参照して、本実施の形態におけるケーブル固定構造１００は、偏平な形態を備える光ケーブル３００の固定を目的としており、第１挟持部材１０１と、この第１挟持部材１００に所定の間隔を隔てて配置される第２挟持部材１０２とを備える。第１挟持部材１０１と第２挟持部材１０２とは、光ケーブル３００が延びる方向に対して交差する方向に沿って、この光ケーブル３００の挿入が可能な挿入口１０４を形成するように、連結部材１０３により連結されている。
【００１１】
第１挟持部材１０１および第２挟持部材１０２の相互に対向する面には、それぞれ第１挟持面１０１Ａおよび第２挟持面１０２Ａが形成されている。この第１挟持面１０１Ａおよび第２挟持面１０２Ａは、図２の光ケーブル３００が延びる方向に沿った断面形状に現れるように、光ケーブル３００に当接する先端領域Ｓと、この先端領域Ｓから見て、光ケーブル３００が延びる一方向側に向かうにしたがってその幅が徐々に大きくなる胴部領域Ｔとを有する楔面が複数列状に配置されている。
【００１２】
これにより、図３に示すように、光ケーブル３００が延びる一方向側であるＸ方向側に光ケーブル３００を引っ張ると、光ケーブル３００の表面にそれぞれ第１挟持面１０１Ａおよび第２挟持面１０２Ａが食い込み光ケーブル３００の移動を阻止することを可能とする。一方、光ケーブル３００が延びる他方向側であるＹ方向側に光ケーブル３００を引っ張ると、光ケーブル３００は移動することになる。
【００１３】
なお、本実施の形態においては、楔面を４列設ける場合を示したが、光ケーブ３００の外形サイズに応じて変更が可能であり、１列以上設けることにより、楔として機能する。
【００１４】
（作用効果）
以上、本実施の形態におけるケーブル固定構造１００によれば、第１挟持面１０２Ａと第２挟持面１０２Ｂとの間に光ケーブル３００を挟み込むことのみで、光ケーブル３００にＸ方向側への引張り力が生じた場合でも、光ケーブル３００の表面に第１挟持面１０２Ａと第２挟持面１０２Ｂの楔面が食い込み、光ケーブル３００のＸ方向側への移動を阻止することが可能になる。
【００１５】
なお、図２の断面に示すように、上記発明における楔面としては、光ケーブル３００に対して、一方の面が垂直面であり、他方の面が傾斜面であるが、他の形態として、図４の模式図に示すように、先端領域Ｓから見て、光ケーブル３００が延びる一方向側（Ｘ方向側）に向かうにしたがってその幅が徐々に大きくなる胴部領域Ｔとを備えれば、両方の面が傾斜していてもかまわない。
【００１６】
また、上記実施の形態においては、連結部材１０３により第１挟持部材１０１と第２挟持部材１０２とを連結させる構成を採用しているが、たとえば、２分割可能なケースにおいて、一方の分割ケースに第１挟持面１０１Ａを設け、他方の分割ケースに第２挟持面１０２Ａを設ける構成を採用し、分割ケースを合わせる際に、ケーブルを第１挟持面１０１Ａと第２挟持面１０２Ａとにより挟持する構成を採用することも可能である。
【００１７】
また、上記実施の形態においては、偏平形状の光ケーブル３００を一例として説明したが、その他通信機器、電気機器等から引き出されるケーブル全般に適用することが可能である。
【００１８】
したがって、今回開示された実施の形態はすべての点で例示であって、制限的に解釈されるものではない。本発明の技術的範囲は、上記実施の形態ではなく特許請求の範囲によって画定され、特許請求の範囲と均等の意味および範囲内でのすべての変更が含まれることが意図される。
【００１９】
【発明の効果】
この発明に基づいたケーブル固定構造によれば、ケーブルの固定に際して、他の取付け部材を必要とせず、容易にかつ確実にケーブルを固定することが可能となる。
【図面の簡単な説明】
【図１】この発明に基づいた実施の形態におけるケーブル固定構造の全体構造を示す斜視図である。
【図２】図１中ＩＩ−ＩＩ線矢視断面図である。
【図３】図１中ＩＩ−ＩＩ線矢視断面に対応した楔面の機能を説明するための模式図である。
【図４】楔面の他の形態を示す図１中ＩＩ−ＩＩ線矢視に対応した模式図である。
【符号の説明】
１００  ケーブル固定構造、１０１  第１挟持部材、１０１Ａ  第１挟持面、１０２  第２挟持部材、１０２Ａ  第２挟持面、１０３  連結部材、１０４  挿入口、３００  光ケーブル、Ｓ  先端領域、Ｔ  胴部領域。
【図１】
2004289060.tif 000003
【図２】
2004289060.tif 000004
【図３】
2004289060.tif 000005
【図４】
2004289060.tif 000006